(57)【特許請求の範囲】
【請求項１】
天板とこれを支える脚装置とを備えており、
前記天板は、その後部を中心にして前端を跳ね上げ回動させ得るように前記脚装置に連結されている一方、前記脚装置は、前端部が前記天板の前端部に位置した左右の脚を備えていて前記天板を跳ね上げると前後にスタッキングできる形態であり、
前記天板は、前記左右の脚に対応した左右のロック装置によって水平状態に保持されるようになっていて、前記左右のロック装置は、前記左右の脚の前端部にそれぞれ設けた固定ロック体と、前記天板の前端部のうち前記固定ロック体に対応した部位に設けた可動ロック体とを有しており、
前記可動ロック体が固定ロック体に係合したロック状態では、前記天板は水平姿勢に保持されて、前記可動ロック体がレバーの操作によって固定ロック体から係合解除されたロック解除状態では、前記天板の跳ね上げ回動が許容されている構成であって、
前記レバーは左右の可動ロック体に対応して左右２つ設けられており、前記天板における前端部の下面部のうち前記左右の脚で挟まれた内側の部位に、前記左右のレバーが、人が親指を天板の前端縁に当てた状態で手前に引き操作できるように配置されている、
テーブル。
【請求項２】
天板とこれを支える脚装置とを備えており、
前記天板は、その後部を中心にして前端を跳ね上げ回動させ得るように前記脚装置に連結されている一方、前記脚装置は、前端部が前記天板の前端部に位置した左右の脚を備えていて前記天板を跳ね上げると前後にスタッキングできる形態であり、
前記天板は、前記左右の脚に対応した左右のロック装置によって水平状態に保持されるようになっていて、前記左右のロック装置は、前記左右の脚の前端部にそれぞれ設けた固定ロック体と、前記天板の前端部のうち前記固定ロック体に対応した部位に設けた可動ロック体とを有しており、
前記可動ロック体が固定ロック体に係合したロック状態では、前記天板は水平姿勢に保持されて、前記可動ロック体がレバーの操作によって固定ロック体から係合解除されたロック解除状態では、前記天板の跳ね上げ回動が許容されている構成であって、
前記天板における前端部の下面部に、水平回動方式の前記レバーが、人が親指を天板の前端縁に当てた状態で手前に引いて回動させ得るように配置されており、
前記レバーは、人が操作していない状態では、前記天板の前端縁と平行に延びる左右長手の姿勢に配置されていて、ばねによって前記左右長手の姿勢に付勢されており、前記ばねに抗して前記レバーを手前に引いて水平回動させ得るようになっている、
テーブル。
【請求項３】
前記左右の脚の前端部は棒足状の前脚で構成されていて、前記レバーは前記前脚に対応して左右に配置されており、
前記左右のレバーは、それぞれ引き操作によって前記前脚の軸心回りに回動するように配置されている、
請求項１又は２に記載したテーブル。
【発明の詳細な説明】
【技術分野】
【０００１】
本願発明は、跳ね上げ回動式の天板を備えていて前後にスタッキング可能なテーブル（折り畳み式テーブル）に関するものである。
【背景技術】
【０００２】
天板を跳ね上げ回動させると前後にスタッキングできるテーブルの例として、本願出願人は、特許文献１において、天板の後端部を脚装置に回動自在に連結して、天板の前端寄り部位と脚装置の前端部とをロック装置にて連結し、脚装置に設けたレバーをプッシュ操作するとロックが解除される構成を開示した。
【先行技術文献】
【特許文献】
【０００３】
【特許文献１】特許第４４４２３７９号公報
【発明の概要】
【発明が解決しようとする課題】
【０００４】
この特許文献１のテーブルは、天板を水平姿勢に倒した状態に保持するロック装置を備えているため、天板を跳ね上げ回動させるばね手段を設けていても天板を水平姿勢に確実に保持できて、操作性と安全性とに優れている利点がある。
【０００５】
本願発明はこの特許文献１の基本構成を踏襲しつつ、操作性や安全性をより一層向上させることを課題とするものである。
【課題を解決するための手段】
【０００６】
本願発明は様々の構成を含んでおり、その例を各請求項で特定している。このうち請求項１の発明は、
「天板とこれを支える脚装置とを備えており、
前記天板は、その後部を中心にして前端を跳ね上げ回動させ得るように前記脚装置に連結されている一方、前記脚装置は、前端部が前記天板の前端部に位置した左右の脚を備えていて前記天板を跳ね上げると前後にスタッキングできる形態であり、
前記天板は、前記左右の脚に対応した左右のロック装置によって水平状態に保持されるようになっていて、前記左右のロック装置は、前記左右の脚の前端部にそれぞれ設けた固定ロック体と、前記天板の前端部のうち前記固定ロック体に対応した部位に設けた可動ロック体とを有しており、
前記可動ロック体が固定ロック体に係合したロック状態では、前記天板は水平姿勢に保持されて、前記可動ロック体がレバーの操作によって固定ロック体から係合解除されたロック解除状態では、前記天板の跳ね上げ回動が許容されている構成であって、
前記レバーは左右の可動ロック体に対応して左右２つ設けられており、前記天板における前端部の下面部のうち前記左右の脚で挟まれた内側の部位に、前記左右のレバーが、人が親指を天板の前端縁に当てた状態で手前に引き操作できるように配置されている。
【０００７】
請求項２の発明は、請求項１と同じ基本構成において、
前記天板における前端部の下面部に、水平回動方式の前記レバーが、人が親指を天板の前端縁に当てた状態で手前に引いて回動させ得るように配置されており、
前記レバーは、人が操作していない状態では、前記天板の前端縁と平行に延びる左右長手の姿勢に配置されていて、ばねによって前記左右長手の姿勢に付勢されており、前記ばねに抗して前記レバーを手前に引いて水平回動させ得るようになっている。
【０００８】
請求項３の発明は、請求項１又は２において、
前記左右の脚の前端部は棒足状の前脚で構成されていて、前記レバーは前記前脚に対応して左右に配置されており、前記左右のレバーは、それぞれ引き操作によって前記前脚の軸心回りに回動するように配置されている。
【０００９】
【００１０】
【００１１】
【発明の効果】
【００１２】
本願発明では、レバーを天板の下面部に配置しているため、天板を跳ね上げるに際しては、人は屈み込むような姿勢を採ることなく、普通に立った状態でレバーに指先を掛けることができる。このため、天板の跳ね上げ作業の作業性に優れている。
【００１３】
すなわち、天板の前端縁に親指を当てた状態でレバーを引き操作できるため、レバーに力を掛け易いためレバーの操作性に一層優れているのみならず、いわば天板の前端縁を手で掴んだような状態でレバーを操作できるため、天板を跳ね上げ回動させるばね手段を設けていても、天板の動きを確実に制御できて安全性に優れている。
【００１４】
また、テーブルの使用者の足がレバーに下から当たることが有り得るが、レバーは天板の下面に沿って水平方向に動くことでロックが解除されるため、レバーに人の足が下から当たってもロックが解除されることはなくて、安全性も向上できる。
【００１５】
【００１６】
請求項３の発明では、左右のレバー操作を行わないと天板を跳ね上げできないため安全性に優れている。この場合、請求項１では、左右のレバーは左右脚の内側に位置しているため、人は手を左右脚の箇所まで伸ばすことなくレバーを操作できる。このため、操作性に優れている。
【図面の簡単な説明】
【００１７】
【図１】実施形態に係るテーブルの外観図であり、（Ａ）は手前から見た斜視図、（Ｂ）は後ろから見た斜視図である。
【図２】（Ａ）は分離斜視図、（Ｂ）は下方から見た斜視図である。
【図３】（Ａ）は天板を跳ね上げた状態での斜視図、（Ｂ）はレバーを手前に回動させた状態でのテーブルの斜視図、（Ｃ）はばねユニットの斜視図である。
【図４】（Ａ）（Ｂ）とも要部の分離斜視図である。
【図５】（Ａ）は要部を手前から見た斜視図、（Ｂ）はレバー付勢用ばねの斜視図、（Ｃ）は要部を後ろから見た分離斜視図である。
【図６】（Ａ）はロック装置を下方から見た分離斜視図、（Ｂ）はロック状態でのロック装置の部分的な平面図、（Ｃ）はロック装置の分離正面図、（Ｄ）は（Ｂ）のＤ−Ｄ視方向から見たロック装置の断面図である。
【図７】レバーをフリー状態に回動させた状態でロック装置を下方から見た分離斜視図、（Ｂ）はフリー状態でのロック装置の部分平面図、（Ｃ）はフロントブラケットとレバーとの関係を示す下方からの斜視図である。
【発明を実施するための形態】
【００１８】
(1).テーブルの概要
次に、本願発明の実施形態を図面に基づいて説明する。まず、テーブルの概要を図１〜３に基づいて説明する。テーブルは、平面視四角形（長方形）の天板１とこれを支持する脚装置２、及び、脚装置２の背面に配置した幕板３とを備えている。
【００１９】
脚装置２は、天板１のコーナー寄り部位に配置された２本ずつの棒足状の前脚４及び後ろ脚５と、前脚４と後ろ脚５とをその上部において連結する前後長手のサイドフレーム６と、左右の後ろ脚５の上端に連結された左右横長のリアフレーム（軸受けフレーム）７と、左右サイドフレーム６の後端寄り部位に連結された左右横長の中間フレーム８とを備えている。
【００２０】
前脚４の左右間隔よりも後ろ脚５の左右間隔を狭くすることにより、天板１を上向きに跳ね上げ回動させたらテーブルを前後にスタッキングすることができる。中間フレーム８には、金属板製のダクト板９が固定されており、ダクト板９に幕板３が固定されている。幕板３は後ろ脚５にビス等で固定してもよい。
【００２１】
各脚４，５は中空円形であり、それぞれ基部４ａ，５ａとその上端に接続した上部材４ｂ，５ｂとで構成されている。サイドフレーム７は、脚４，５の上部材４ｂ，５ｂに接続されている。また、各脚４，５の下端にはキャスター１０を設けている。サイドフレーム６は中空円形で、中間フレーム９は中空角形になっているが、いずれも形態は任意に設定できる。
【００２２】
天板１はリアフレーム７の左右外側に張り出しており、天板１の下面のうちリアフレーム７の左右外側に張り出した箇所に、枢支ブラケット１１をビスで固定している。図３（Ｃ）のとおり、枢支ブラケット１１には、リアフレーム７に嵌入する円形のボス体１２が形成されており、ボス体１２がリアフレーム７の内部で回転することで、天板１はリアフレーム７に回動自在に取付けられている。
【００２３】
図３（Ｃ）に示すように、ボス体１２の付け根部にはストッパーボルト１３が外側からねじ込まれており、このストッパーボルト１３の頭がリアフレーム７に設けた長穴（周方向に長い長穴）の内部で動くことで、天板１の回動角度が規制されている。
【００２４】
枢支ブラケット１１のボス体１２には、ばね手段の一例としてのトーションバー１４の一端部が嵌入している。本実施形態では、４本のトーションバー１４が嵌め込まれている。各トーションバー１４は、その軸心回りに回転不能の状態でボス体１２に嵌まっている。各トーションバー１４は、リアフレーム７の内部に配置された円形の固定子１５に嵌まっており、固定子１５はボルト１６でリアフレーム７に固定されている。
【００２５】
各トーションバー１４は、固定子１５に対して、軸心回りに回転不能の状態で嵌まっている。そして、トーションバー１４の束を、図３（Ａ）に矢印Ｘで示す方向に予め捩じった状態で、枢支ブラケット１１を天板１に固定すると共に、固定子１５をリアフレーム７に固定している。このため、天板１は、トーションバー１４により、上向き跳ね上げ回動方向に付勢されている。本実施形態では、トーションバー１４のみで天板１を跳ね上げできるように設定している。天板１の跳ね上げ回動姿勢は任意に設定できるのであり、側面視で鉛直かそれに近い姿勢まで跳ね上げることも可能である。
【００２６】
天板１の下面のうち前脚４の上の箇所には、前脚４の上部材４ｂに嵌まり得るフロントブラケット１７がボルトで固定されており、フロントブラケット１７に、前脚４の軸心回りに水平回動するロック解除部材１８を取付けている。ロック解除部材１８は指掛け部となるレバー２６を備えており、レバー２６は、前脚４から左右内側に向いており、図２（Ａ）に示すように、ロック姿勢では全体が天板１の前端縁よりも内側に入り込んで、天板１の前端縁と平行な姿勢になっている。また、左右のレバー２６は相対向した状態に配置されている。
【００２７】
他方、図３（Ｂ）のように、左右のレバー２６を、その前端部が天板１の手前に露出するように引くと、ロックが解除される。その結果、天板１は、図３（Ａ）のように跳ね上げ回動される。レバー２６は天板１の下面に重なるように配置されているので、レバー２６の引き操作は、親指を天板１の前端縁１ａに上から当てて、人指し指と中指と薬指とで手前に引くことで、安定的に行える。逆に述べると、レバー２６は、人が親指を天板１の前端縁１ａに当てた状態で引き操作できる位置に配置されている。
【００２８】
この状態で、天板１は、その前端縁１ａが人の手で掴まれたような状態になっているので、ロックが解除されても天板１がいきなり跳ね上がることはなくて、動きを制御することができる。すなわち、ロックの解除と天板１の回動操作とを、天板１を掴んだような状態で一連に行える。このため、天板１の跳ね上げ回動の制動性・安全性に優れている。左右のフロントブラケット１７の間の区間には、左右横長の補強フレーム１９が設けられている。
【００２９】
例えば図５（Ｃ）に示すように、フロントブラケット１７には、位置決め用の突起１７ａを設けている。この場合、突起１７ａを隣り合った２つの側面に設けているが、これは、フロントブラケット１７を左使いと右使いとに共用するためである（従って、フロントブラケット１７は１種類で足りる。）。補強フレーム１９は天板1 のたわみ防止のためのものであり、たとえば天板１にボルト等によって固定される。なお、補強フレーム１９は、フロントブラケット１７の突起１７ａに嵌合させて連結してもよいし、フロントブラケットと連結しなくてもよい。
【００３０】
(2).ロック装置・レバー部材の詳細
次に、図４以下の図面も参照して、ロック解除部材１８やロック装置を説明する。フロントブラケット１７は樹脂製（又はアルミダイキャスト製）であり、天板１のコーナー部寄りの箇所にボルト（図示せず）で固定されている。ボルト挿通穴を符号２１で示している。図５（Ｃ）のとおり、フロントブラケット１７には、角形の補強フレーム１９の端部が嵌まる突部２２を設けている。
【００３１】
図４，５に示すように、フロントブラケット１７はおおよそ平面視四角形に形成されており、天板１のコーナーに向いた角部に、前脚４の上面に載る下向き筒２３が、前脚４と同心かつ同径の状態で設けられている。下向き筒２３は上下に開口しており、この下向き筒２３に、ロック解除部材１８のボス部２４を上から回転可能に嵌め入れている。
【００３２】
ロック解除部材１８は樹脂製（アルミダイキャスト製であってもよい）であり、ロック解除部材１８におけるボス部２４の上端にはやや大径のフランジ２５を設けて、フランジ２５に既述のレバー２６が一体に形成されている。ロック状態で、レバー２６は、天板１の前端縁１ａと平行に延びる左右長手の姿勢になっているが、図５（Ｃ）や図７（Ｃ）に示すように、一部がフロントブラケット１７の前部の下方に入り込んだ状態になっている。
【００３３】
なお、例えば図７（Ｃ）から理解できるように、レバー２６の下面は、補強フレーム１９の下面と略同じ程度の高さになっている (従って、レバー2 6 は前脚４の上端よりも上に位置している。) 。このため、人の足が天板１の下面に向けて動いても、足がレバー２６に当たることが補強フレーム１９によってガードされる。この点、本実施形態の利点の一つである。
【００３４】
図４（Ａ）に明示するように、フロントブラケット１７の角部には、ロック解除部材１８のフランジ２５が嵌まる切欠き部２７を前脚４と同心に設けており、切欠き部２７の下に下向き筒２３を設けている。
【００３５】
図５の特に（Ａ）に示すように、ロック解除部材１８のうちフランジ２５の内側には下向き筒２３と同心のばね受け突起２７ａを設け、このばね受け突起２７ａに、コイルの軸心回りに捩じられる捩じりコイルばね（トーションコイルばね）２８を嵌め込んでいる。捩じりコイルばね２８の上端部２８ａは左右内向きに延びていて、その先端はフロントブラケット１７に設けた係止溝２９に嵌まっている一方、下端部２８ｂは、後ろ向に延びていて後端は下向きに曲がっており、この後端がロック解除部材１８に設けた穴３０に嵌まっている。既述のようにフロントブラケット１７は左使いと右使いとに共用されるので、係止溝２９も左右に２つ設けている。
【００３６】
捩じりコイルばね２８は、平面視で下方に向けて時計回りに進む姿勢になっている。このため、ロック解除部材１８は、捩じりコイルばね２８により、レバー２６がフロントブラケット１７に近づくようなロック姿勢に付勢されている。なお、ロック解除部材１８をロック姿勢に付勢するばねとしては、コイル式の圧縮ばねや引っ張りばね、或いは板ばねなどの各種のばね体を使用できる（ゴムも使用可能である。）。
【００３７】
図４に明示するように、ロック解除部材１８のボス部２４には、円形で下向きのガイド突起３１が設けられており、このガイド突起３１を含む部分に、略後ろ向きに開口したロック装置保持穴３２が空いている。ロック装置保持穴３２は背面視で十字状の形態であり、ガイド突起３１の下方にも貫通している。そして、ロック装置保持穴３２に、ロック装置を構成する可動ロック体３３と、これに固定された板ばね３４とが嵌め入れられている。
【００３８】
可動ロック体３３は、手前に向けて突出する鉤部３３ａを有する爪形であり、鉤部３３ａはガイド突起３３の箇所に位置している。また、可動ロック体３３の上端部は、ロック装置保持穴３２の横長部３２ａにスライド自在に嵌まる左右長手のスライドガイド部３３ｂになっており、かつ、可動ロック体３３の背面には板ばね３４が固定されている。板ばね２４は上下に長い形態であり、上端部がビス３５でロック装置保持穴３２の前内面に固定されている。
【００３９】
従って、可動ロック体３３は、板ばね３４を弾性変形させることで前後方向に移動し得る。板ばね３４が弾性変形していない状態では、可動ロック体３３の鉤部３３ａはガイド突起３１の外側に露出しており、板ばね３４が曲がり変形すると、鉤部３３ａはガイド突起３１の内部に後退し得る。可動ロック体３３における鉤部３３ａの下面は、軸心から離れるほど上に向かう傾斜面になっている。
【００４０】
前脚４の上部材４ｂには、ロック装置の固定ロック体を構成するロック受け筒３６が上から嵌め込で固定されている。ロック受け筒３６は樹脂製又はアルミダイキャスト製であり、外周に多数のフィン（環状リブ）を設けている。また、ロック受け筒３６の上端には、前脚４における上部材４ｂの上端に重なる外向きフランジ３６ａと、上部材４ｂの内周面よりも内側に突出した内向きフランジ３６ｂとが形成されており、内向きフランジ３６ｂの前端部に、可動ロック体３３の鉤部３３ａが上下に嵌脱し得る大きさの切欠き溝３７が形成されている。
【００４１】
そして、可動ロック体３３の鉤部３３ａとロック受け筒３６の切欠き溝３７との位置関係を、ロック解除部材１８が捩じりコイルばね２８によってロック姿勢に保持された状態では、図６（Ｂ）のように鉤部３３ａが切欠き溝３７から少し外れた位置にあって、鉤部３３ａが内向きフランジ３６ｂの下方にあり、レバー２６を捩じりコイルばね２８に抗して手前に回動させたフリー状態では、図７（Ｂ）のように鉤部３３ａが切欠き溝３７の箇所に位置するように設定している。
【００４２】
従って、ロック解除部材１８がロック姿勢のときには、鉤部３３ａが内向きフランジ３６ｂに引っ掛かることで、天板１は上向きに跳ね上げ回動不能に保持されており、ロック解除部材１８をフリー姿勢に回動させると、鉤部３３ａがロック受け筒３６から抜け出て、天板１はトーションバー１４によって図３（Ａ）のように傾斜姿勢に跳ね上げ回動する。
【００４３】
この場合、左右のレバー２６を同時にロック解除しないと天板１は跳ね上がらないことと、既述のように、レバー２６の操作は天板１を掴んだような状態で行えることとにより、高い安全性を確保できる。
【００４４】
レバー２６の回動範囲を規制する手段としては、図４に示すように、フロントブラケット１７の下向き筒２３の上部内周面に凹溝３８を設ける一方、ロック解除部材１８のボス部２４には、凹溝３８の内部に入り込むストッパー突起３９を設けており、ストッパー突起３９が凹溝３８の左右内側面に当たることで、レバー２６の回動範囲が規制されている。レバー２６は、ロック姿勢ではその全体が天板1 の下方に隠れており、ロック解除姿勢 (フリー姿勢で )では、レバー２６の相当部分が天板1 の手前にはみ出る。従って、人は天板1 の前端縁1 a に軽く手を当てただけで、簡単にレバー２６を引き操作できる。
【００４５】
レバー２６から手を離すと、レバー２６は捩じりコイルばね２８によってロック姿勢に戻り、これにより、可動ロック体３３もロック姿勢に戻る。そして、その状態で天板１を水平に倒すと、可動ロック体３３の鉤部３３ａは、ロック受け筒３６の内向きフランジ３６ｂの縁に当たって、いったん板ばね３４の弾性に抗して後退してから前進することにより、内向きフランジ３６ｂに下方から係合する。
【００４６】
可動ロック体３３をロック姿勢に付勢するばね体としては、実施形態のような板ばねには限らず、コイルばねやゴムなどの様々なものを使用できる。また、可動ロック体３３の具体的な構造も実施形態には限らないのであり、例えば、レバー２６の回動で可動ロック体が前脚４の係合部から後退する方式など、様々な構造を採用できる。
【００４７】
(3).その他
本願発明は、上記の実施形態の他にも様々に具体化できる。例えば、実施形態ではレバー２６を前脚４の箇所に設けたが、前脚４よりも左右内側に寄せて配置することも可能である。この場合は、前脚４の内部に設けたロック装置とレバーとを連動させる連動手段を設けたらよい。このように連動手段を設けると、天板１の左右幅が人の両手が届かない長さであっても、一人で簡単に天板１を跳ね上げ操作できる利点がある。
【００４８】
また、上記の実施形態では、レバー２６から手を離すと可動ロック体３３はロック姿勢に戻っているが、例えばボールキャッチのような係合手段により、レバー２６をフリー姿勢に保持できるようにすることも可能であり、この場合は、一方の前脚４のロックを解除してから他方の前脚４のロックを解除することで、左右幅が大きいテーブルであっても１人で天板１の跳ね上げ操作を行える。この場合、天板１が跳ね上がるとレバー２６は元に戻る（リセットされる）ように設定するのが好ましい。
【００４９】
また、ロック解除部材１８と可動ロック体３３との間にばね式の中間部材を配置して、レバー２６をいったんフリー式に回動させると、可動ロック体のロックは解除されるがレバー２６はロック姿勢に戻るように設定することも可能である。この場合も、天板１が跳ね上がると、可動ロック体３３はロック姿勢に戻るように設定するのが好ましい。
【００５０】
脚装置はスタッキング可能であればよく、具体的な構造は任意に設定できる。従って、実施形態のような棒足方式ではなくて、左右の脚を板状に構成することなども可能である。レバー２６は脚装置に設けることも可能である。
【産業上の利用可能性】
【００５１】
本願発明は、テーブルに具体化できる。従って、産業上利用できる。
【符号の説明】
【００５２】
１  天板
２  脚装置
４  前脚
４ｂ，５ｂ  上部材
５  後ろ脚
７  リアフレーム（回動支軸）
１４  跳ね上げ用ばね手段の一例としてのトーションバー
１７  フロントブラケット
１８  ロック解除部材
２３  下向き筒
２４  ボス部
２６  レバー
２８  レバー部材を戻す捩じりコイルばね
３２  ロック装置保持穴
３３  可動ロック体
３３ｂ  鉤部
３４  ロック装置を構成する板ばね
３６  ロック装置の固定ロック体を構成するロック受け筒
３６ｂ  内向きフランジ
３７  切欠き溝                                  
【図１】
0006274833.tif 000002
【図２】
0006274833.tif 000003
【図３】
0006274833.tif 000004
【図４】
0006274833.tif 000005
【図５】
0006274833.tif 000006
【図６】
0006274833.tif 000007
【図７】
0006274833.tif 000008